(57)【要約】【課題】蓄電池の利用効率を高める。【解決手段】実施の形態の蓄電池管理システムは、第１及び第２の蓄電池、充放電器、第１及び第２の電路、充電状態検出部、並びに電路切替部を備えている。充放電器は、第１及び第２の蓄電池を充放電する。第１の電路は、充放電器に第１の蓄電池を接続する。第２の電路は、充放電器に第１及び第２の蓄電池を直列に接続する。充電状態検出部は、充放電器により充放電される第１の蓄電池の充電状態を検出する。電路切替部は、充電状態検出部により検出された第１の蓄電池の充電状態に基づいて、使用する電路を前記第１及び第２の電路のうちのいずれかに切り替える。【選択図】図１
2016082749.tif 000002
【特許請求の範囲】
【請求項１】
第１及び第２の蓄電池と、
前記第１及び第２の蓄電池を充放電する充放電器と、
前記充放電器に前記第１の蓄電池を接続する第１の電路と、
前記充放電器に前記第１及び第２の蓄電池を直列に接続する第２の電路と、
前記充放電器により充放電される前記第１の蓄電池の充電状態を検出する充電状態検出部と、
前記充電状態検出部により検出された前記第１の蓄電池の充電状態に基づいて、使用する電路を前記第１及び第２の電路のうちのいずれかに切り替える電路切替部と、
を備える蓄電池管理システム。
【請求項２】
前記第１及び第２の蓄電池は、直列及び／又は並列に接続された複数のバッテリセルを備えており、
前記第１の蓄電池と前記第２の蓄電池とは、前記バッテリセルの直列方向の配列数と前記バッテリセルの並列方向の配列数とのうちの、少なくとも一方が異なっている、
請求項１記載の蓄電池管理システム。
【請求項３】
前記第２の蓄電池は、備えている前記バッテリセルの総数を、前記第１の蓄電池よりも少なくして構成されている、
請求項２記載の蓄電池管理システム。
【請求項４】
前記充放電器により充放電される前記第１及び第２の蓄電池それぞれの充電状態を検出する第２の充電状態検出部と、
前記充放電器に前記第１及び第２の蓄電池を直列に接続すると共に前記第１の蓄電池に対して前記第２の蓄電池を逆接続の関係で接続する第３の電路と、
前記第２の充電状態検出部により検出された前記第１及び第２の蓄電池それぞれの充電状態に基づいて、使用する電路を前記第１〜第３の電路のうちのいずれかに切り替える第２の電路切替部と、
をさらに備える請求項１ないし３のいずれか１項に記載の蓄電池管理システム。
【請求項５】
第１及び第２の蓄電池を充放電するための充放電器に前記第１の蓄電池を接続する第１の電路と、
前記充放電器に前記第１及び第２の蓄電池を直列に接続する第２の電路と、
前記充放電器により充放電される前記第１の蓄電池の充電状態を検出する充電状態検出部と、
前記充電状態検出部により検出された前記第１の蓄電池の充電状態に基づいて、使用する電路を前記第１及び第２の電路のうちのいずれかに切り替える電路切替部と、
を備える蓄電池管理装置。
【請求項６】
第１及び第２の蓄電池を充放電するための充放電器に前記第１の蓄電池を接続する第１の電路と、前記充放電器に前記第１及び第２の蓄電池を直列に接続する第２の電路と、を用いる蓄電池管理方法であって、
前記充放電器により充放電される前記第１の蓄電池の充電状態を検出するステップと、
前記検出された第１の蓄電池の充電状態に基づいて、使用する電路を前記第１及び第２の電路のうちのいずれかに切り替えるステップと、
を有する蓄電池管理方法。
【発明の詳細な説明】
【技術分野】
【０００１】
本発明の実施形態は、蓄電池管理システム、蓄電池管理装置及び蓄電池管理方法に関する。
【背景技術】
【０００２】
蓄電池は、例えばインバータを含むパワーコンディショナーなどの充放電装置に接続して利用されることが一般的である。ここで、変換損失などを考慮した充放電装置側の仕様上の制限から、蓄電池は、充放電装置の入力電圧範囲に合わせた電圧範囲で使用される。
【０００３】
つまり、蓄電池は、実際に動作補償されている補償電圧範囲よりも狭い電圧範囲で使用されるため、利用効率の低下を招いている。なお、蓄電池は、電圧と残容量との関係が一義的に決まっているコンデンサなどとは異なり、残容量の変化の他、劣化状況や蓄電池本体の温度などの変化によっても出力電圧が変化する。このため、蓄電池は、使用可能な電圧範囲に制約を受けている状況では利用効率の向上を図ることが難しくなっている。
【先行技術文献】
【特許文献】
【０００４】
【特許文献１】特開２０１３−９５５７号公報
【特許文献２】特開２０１３−５６５６号公報
【発明の概要】
【発明が解決しようとする課題】
【０００５】
本発明が解決しようとする課題は、蓄電池の利用効率を高めることができる蓄電池管理システム、蓄電池管理装置及び蓄電池管理方法を提供することである。
【課題を解決するための手段】
【０００６】
実施の形態の蓄電池管理システムは、第１及び第２の蓄電池、充放電器、第１及び第２の電路、充電状態検出部、並びに電路切替部を備えている。充放電器は、第１及び第２の蓄電池を充放電する。第１の電路は、充放電器に第１の蓄電池を接続する。第２の電路は、充放電器に第１及び第２の蓄電池を直列に接続する。充電状態検出部は、充放電器により充放電される第１の蓄電池の充電状態を検出する。電路切替部は、充電状態検出部により検出された第１の蓄電池の充電状態に基づいて、使用する電路を前記第１及び第２の電路のうちのいずれかに切り替える。
【図面の簡単な説明】
【０００７】
【図１】第１の実施の形態に係る蓄電池管理システムの構成を概略的に示す図。
【図２】図１の蓄電池管理システムが備える第１の蓄電池の充電状態と出力電圧との関係を示す図。
【図３】第１の蓄電池の充電状態と第１、第２の蓄電池の出力電圧との関係を示す図。
【図４】図１の蓄電池管理システムによる蓄電池管理方法を示すフローチャート。
【図５】第２の実施の形態に係る蓄電池管理システムの構成を概略的に示す図。
【図６】第３の実施の形態に係る蓄電池管理システムの構成を概略的に示す図。
【図７】図６の蓄電池管理システムによる蓄電池管理方法を示すフローチャート。
【発明を実施するための形態】
【０００８】
以下、実施の形態を図面に基づき説明する。
＜第１の実施の形態＞
図１に示すように、本実施形態の蓄電池管理システム１０は、第１の蓄電池１、第２の蓄電池２、充放電器６、及び蓄電池管理装置１０ａを備えている。蓄電池管理装置１０ａは、第１の電路２１、第２の電路２２、第１〜第３の開閉器１１〜１３、並びに、充電状態検出部（第１の充電状態検出部）８ａ及び開閉器制御部８ｂを含む制御装置８を有している。
【０００９】
蓄電池管理装置１０ａは、電路切替部（第１の電路切替部）３１をさらに備えている。電路切替部３１は、第１及び第２の開閉器１１、１２（及び第３の開閉器１３）と制御装置８の開閉器制御部８ｂとが、互いに協働して動作することによって実現される。第１及び第２の蓄電池１、２は、リチウムイオン電池などの二次電池である。また、第１及び第２の蓄電池１、２のそれぞれは、直列及び／又は並列に接続された複数のバッテリセル（電池セル）を備えたバッテリパック（組電池）である。
【００１０】
第１の蓄電池１は、使用中の安全性などが考慮され、動作補償している補償電圧範囲が例えば１．５Ｖ〜３Ｖのバッテリセルを、例えば１００個、直列に接続して構成されている。第２の蓄電池２は、第１の蓄電池１よりも、例えば定格の出力電圧が低くなるように構成されている。
【００１１】
充放電器６は、第１及び第２の蓄電池１、２を充放電することが可能である。充放電器６は、例えばインバータを含むパワーコンディショナー（ＰＣＳ：Power Conditioning System）などである。また、充放電器６は、（その一方に）図示しない例えば電力系統や例えば交流の電力を給電されて動作する電子機器などが接続されている。
【００１２】
このような充放電器６は、半導体スイッチを内部に備えており、スイッチングのタイミングを変化させることによって、出力する電力や電流を変化させる。ここで、充放電器６は、変換損失などを考慮し、入力電圧Ｖnが、２００Ｖ〜３００Ｖの入力電圧範囲に制限された仕様となっている。
【００１３】
第１〜第３の開閉器１１〜１３は、コンダクタや半導体などを用いたスイッチング素子によって構成されている。第１の電路２１は、充放電器６（の他方）に、第１、第３の開閉器１１、１３を介して第１の蓄電池１を単独で接続する。具体的には、第１の電路２１は、第１の蓄電池１の正極から、第３の開閉器１３、充放電器６、第１の開閉器１１、第１の蓄電池１の負極へ、とつながる電路である。
【００１４】
一方、第２の電路２２は、充放電器６（の他方）に、第２、第３の開閉器１２、１３を介して第１及び第２の蓄電池１、２を直列に接続（正接続）する。詳述すると、第２の電路２２は、第１の蓄電池１の正極から、第３の開閉器１３、充放電器６、第２の蓄電池２、第２の開閉器１２、第１の蓄電池１の負極へ、とつながる電路である。
【００１５】
制御装置８は、第１及び第２の蓄電池１、２に対する充放電を行うための指令を、充放電器６に与える。制御装置８が備える充電状態検出部８ａは、充放電器６により充放電される少なくとも第１の蓄電池１の充電状態（ＳＯＣ：State of Charge）を検出する。充電状態検出部８ａは、第１の蓄電池１の電圧、温度、通電時の電流値などを計測した結果に基づき、充電状態を演算によって求める。制御装置８が備える開閉器制御部８ｂは、第１〜第３の開閉器１１〜１３を個別に開閉（ＯＮ／ＯＦＦ）する。
【００１６】
また、上述した電路切替部３１は、充電状態検出部８ａにより検出された第１の蓄電池１の充電状態に基づいて、使用する電路を、第１及び第２の電路２１、２２のうちのいずれかに切り替える。具体的には、使用する電路を第１の電路２１に切り替える場合（第１の電路２１を選択する場合）、電路切替部３１は、開閉器制御部８ｂを介して、第１、第３の開閉器１１、１３をＯＮにする（閉じる）と共に、第２の開閉器１２をＯＦＦにする（開放する）。
【００１７】
一方、使用する電路を第２の電路２２に切り替える場合（第２の電路２２を選択する場合）、電路切替部３１は、開閉器制御部８ｂを介して、第１の開閉器１１をＯＦＦにすると共に、第２、第３の開閉器１２、１３をＯＮにする。
【００１８】
ここで、図２は、第１の蓄電池１の充電状態と出力電圧との関係を示している。図２中において、Ｒmは、充放電器６の動作可能電圧範囲（入力電圧範囲）であり、Ｒuは、上記動作可能電圧範囲の制限を受けて、第１の蓄電池１の電池容量を使用できる使用可能ＳＯＣ範囲である。また、Ｖcは、充電電流を流しているときの第１の蓄電池１の出力電圧であり、Ｖdは、放電電流を流しているときの第１の蓄電池１の出力電圧であり、さらに、Ｖsは、充放電を停止しているときの第１の蓄電池１の出力電圧である。
【００１９】
一方、図３は、第１の蓄電池１の充電状態と、第１の蓄電池１の出力電圧並びに第１及び第２の蓄電池１、２を直列に接続したときの出力電圧と、の関係を示している。図３中のＲeは、充放電器６に第１の蓄電池１を単独で接続しているとき（使用する電路を第１の電路２１に切り替えたとき）の特性範囲であり、Ｒfは、第１及び第２の蓄電池１、２が充放電器６に直列に接続されているとき（使用する電路を第２の電路２２に切り替えたとき）の特性範囲である。
【００２０】
また、Ｖc1は、直列に接続した第１及び第２の蓄電池１、２に充電電流を流しているときの出力電圧であり、Ｖd1は、直列に接続した第１及び第２の蓄電池１、２に放電電流を流しているときの出力電圧であり、さらに、Ｖs1は、直列に接続した第１及び第２の蓄電池１、２に対して充放電を停止しているときの出力電圧である。
【００２１】
ここで、制御装置８は、図２、図３に示す第１の蓄電池１の充電状態と出力電圧との関係を、例えばテーブルの形式で記憶している。さらに、制御装置８は、第１の充電状態閾値ＳＯＣth1（例えば３０％）と第２の充電状態閾値ＳＯＣth2（例えば３５％）とを記憶している。電路切替部３１は、第１の蓄電池１の充電状態（ＳＯＣ）が、第１の充電状態閾値ＳＯＣth1以下に減少したタイミングで、使用する電路を第２の電路２２に切り替える（第１及び第２の蓄電池１、２の直列接続を選択する）。また、電路切替部３１は、第１の蓄電池１の充電状態が、第２の充電状態閾値ＳＯＣth2以上に上昇したタイミングで、使用する電路を第１の電路２１に切り替える（第１の蓄電池１の単独の接続を選択する）。
【００２２】
詳述すると、図２及び図３では、充放電器６の動作可能電圧範囲（入力電圧範囲）Ｒmにおける下限値の２００Ｖに対応する蓄電池の残容量を例えば３０％として仮定している。つまり、第１の蓄電池１の充電状態が０％〜３０％の範囲では、第１の蓄電池１単独での放電はできないことになる。
【００２３】
図３では、第１の蓄電池１の充電状態が第１の充電状態閾値ＳＯＣth1（３０％）に減少したタイミングで充電状態が例えば１００％の第２の蓄電池２を、第１の蓄電池１に直列に接続した場合の特性範囲Ｒfを例示している。ここで、第１の蓄電池１内のバッテリセルと第２の蓄電池２内のバッテリセルとがほぼ同時に１．５Ｖに到達するように、第１の蓄電池１と第２の蓄電池２とのそれぞれにおいて、バッテリセルの直列方向及び並列方向における各配列数を互いに一致させることで、蓄電池の利用効率を向上させる効果が得られる。
【００２４】
本実施形態では、第１及び第２の蓄電池１、２を直列接続に切り替えるための第１の充電状態閾値ＳＯＣth1を３０％として例示したが、充放電器６の最大効率点を考慮して第１の充電状態閾値ＳＯＣth1を設定することが蓄電池の利用における高効率化につながる。このため、図３に示すように、直列に接続した第１及び第２の蓄電池１、２に充電電流を流しているときの出力電圧Ｖc1の最大値が、充放電器６の動作可能電圧範囲Ｒmの上限付近にくるように、第１の充電状態閾値ＳＯＣth1を設定することが望ましい。
【００２５】
次に、本実施形態の蓄電池管理システム１０による蓄電池管理方法を図４に示すフローチャートに基づいて説明する。制御装置８の充電状態検出部８ａは、充放電器６により充放電される第１の蓄電池１の充電状態を検出する。図４に示すように、充電状態検出部８ａにより検出された第１の蓄電池１の充電状態（ＳＯＣ）が、第１の充電状態閾値ＳＯＣth1（例えば３０％）以下に減少した場合（Ｓ１のＹＥＳ）、電路切替部３１は、このタイミングで、開閉器制御部８ｂを介して、第１の開閉器１１をＯＦＦにすると共に、第２の開閉器１２（及び第３の開閉器１３）をＯＮにして（Ｓ２）、使用する電路を第２の電路２２に切り替える（充放電器６に第１及び第２の蓄電池１、２を直列に接続する）。
【００２６】
さらに、充電状態検出部８ａにより検出された第１の蓄電池１の充電状態（ＳＯＣ）が、第２の充電状態閾値ＳＯＣth2（例えば３５％）以上に上昇した場合（Ｓ３のＹＥＳ）、電路切替部３１は、このタイミングで、開閉器制御部８ｂを介して、第２の開閉器１２をＯＦＦにすると共に、第１の開閉器１１（及び第３の開閉器１３）をＯＮにして（Ｓ４）、使用する電路を第１の電路２１に切り替える（充放電器６に第１の蓄電池１を単独で接続する）。
【００２７】
既述したように、本実施形態の蓄電池管理システム１０によれば、図３に示すように、第１の蓄電池１の充電状態（ＳＯＣ）が例えば３０％以下の範囲（第１の蓄電池１の出力電圧が、充放電器６の動作可能電圧範囲以下）であっても、第２の蓄電池２を第１の蓄電池１と共に活用することで、実質的に第１の蓄電池１の利用効率を高めることができる。
【００２８】
なお、充放電器６による充放電中に第１〜第３の開閉器１１〜１３が開閉動作することを回避するために、充放電器６が充放電を停止している待機期間に、これらの開閉器を開閉動作させるように電路切替部３１を構成してもよい。これにより、充放電中の開閉器の開閉動作によって、充放電が中断されることを阻止できる。また、第２の蓄電池２には、例えば第１の蓄電池１の電圧を監視する監視制御用の電源や、開閉器駆動用の電源などとして使用されている蓄電池を流用することも可能である。
【００２９】
＜第２の実施の形態＞
次に、第２の実施形態を図５に基づき説明する。なお、図５中において、図１に示した第１の実施形態中の構成要素と同一の構成要素については、同一の符号を付与しその説明を省略する。
【００３０】
第２の実施形態の蓄電池管理システム２０は、図５に示すように、第１の実施形態の蓄電池管理システム１０が備えていた第１の蓄電池１に代えて、第１の蓄電池４１を備えている。第１の蓄電池４１は、直列及び／又は並列に接続された複数のバッテリセルを備えている。この第１の蓄電池４１と第２の蓄電池２とは、バッテリセルの直列方向の配列数とバッテリセルの並列方向の配列数とのうちの、少なくとも一方が異なっている。また、相対的に、第２の蓄電池２は、自身が備えているバッテリセルの総数を、上記した第１の蓄電池４１よりも少なくして構成されていることになる。
【００３１】
ここで、第２の蓄電池２内におけるバッテリセルの並列方向の配列数が、第１の蓄電池４１内におけるバッテリセルの並列方向の配列数よりも、少なくなっている構成の場合、第２の蓄電池２内におけるバッテリセルには、第１の蓄電池４１内のバッテリセルと比較してより多くの電流が流れることになる。なお、リチウムイオン電池に代表される蓄電池は、一般に、大電流が流れることや充放電時の発熱によって、バッテリセルの温度が高くなっている状態が継続されると傾向的に劣化しやすくなる。さらに大規模な蓄電池の場合、電池交換を行う際には、例えば電池盤内のユニットをすべて交換するか、又は電池盤全体を交換することになり、いずれにしても大きな時間的コストの損失が発生する。この点を踏まえると、上記したように、バッテリセルに多くの電流が流れる第２の蓄電池２は、劣化しやすい構成ではあるものの、第１の蓄電池４１と比較して、バッテリセルの総数が少なく、交換作業などが容易となり、実質的にメンテナンス性を高めることが可能となる。
【００３２】
また、一般に、蓄電池は、劣化の抑制のためには温度の低い環境で使用することが好ましいが、高温になりやすい環境に第１及び第２の蓄電池４１、２のいずれかを設置する必要がある場合には、蓄電池管理システム２０では、交換作業の容易な第２の蓄電池２を高温になりやすい環境に優先的に配置することなどが提案される。具体的には、例えば電池盤として構成された第２の蓄電池２を建屋内に独立して設置する場合、比較的高温になることを回避できない場所（例えば、日当たりのよい場所、発熱体の近く、建屋内の熱がこもりやすい天井付近など）に、上記したように、交換作業の容易な当該第２の蓄電池２を設置することが望ましい。
【００３３】
＜第３の実施の形態＞
次に、第３の実施形態を図６、図７に基づき説明する。なお、図６中において、図１に示した第１の実施形態中の構成要素と同一の構成要素については、同一の符号を付与しその説明を省略する。
【００３４】
図６に示すように、第３の実施形態に係る蓄電池管理システム３０は、第１の実施形態に係る蓄電池管理システム１０が有する蓄電池管理装置１０ａに代えて、蓄電池管理装置３０ａを備えている。蓄電池管理装置３０ａは、蓄電池管理装置１０ａの制御装置８に代えて、充電状態検出部（第２の充電状態検出部）３８ａ及び開閉器制御部３８ｂを含む制御装置３８を有すると共に、第３の電路２３及び第４、第５の開閉器１４、１５をさらに備えている。
【００３５】
蓄電池管理装置３０ａは、電路切替部（第２の電路切替部）３２をさらに備えている。第２の電路切替部３２は、第１〜第５の開閉器１１〜１５と制御装置３８の開閉器制御部３８ｂとが、互いに協働して動作することによって実現される。
【００３６】
第４、第５の開閉器１４、１５も、コンダクタや半導体などを用いたスイッチング素子によって構成されている。図６に示すように、第３の電路２３は、充放電器６（の他方）に、第３〜第５の開閉器１３〜１５を介して、第１及び第２の蓄電池１、２を直列に接続すると共に第１の蓄電池１に対して第２の蓄電池２を逆接続の関係で接続する（逆接続する）。具体的には、第３の電路２３は、第１の蓄電池１の正極から、第３の開閉器１３、充放電器６、第４の開閉器１４、第２の蓄電池２の正極、第２の蓄電池２の負極、第５の開閉器１５、第１の蓄電池１の負極へ、とつながる電路である。
【００３７】
制御装置３８が備える充電状態検出部（第２の充電状態検出部）３８ａは、充放電器６により充放電される第１及び第２の蓄電池それぞれの充電状態を検出する。制御装置８が備える開閉器制御部８ｂは、第１〜第５の開閉器１１〜１５を個別に開閉（ＯＮ／ＯＦＦ）する。
【００３８】
また、上述した第２の電路切替部３２は、充電状態検出部３８ａにより検出された第１及び第２の蓄電池１、２それぞれの充電状態（ＳＯＣ）に基づいて、使用する電路を第１〜第３の電路２１〜２３のうちのいずれかに切り替える。具体的には、使用する電路を第３の電路２３に切り替える場合（第３の電路２３を選択する場合）、第２の電路切替部３２は、開閉器制御部３８ｂを介して、第３〜第５の開閉器１３〜１５をＯＮにする（閉じる）と共に、第１、第２の開閉器１１、１２をＯＦＦにする（開放する）。
【００３９】
さらに、使用する電路を第１の電路２１に切り替える場合、第２の電路切替部３２は、開閉器制御部３８ｂを介して、第１、第３の開閉器１１、１３をＯＮにすると共に、第２、第４、第５の開閉器１２、１４、１５をＯＦＦにする。また、使用する電路を第２の電路２２に切り替える場合、第２の電路切替部３２は、開閉器制御部３８ｂを介して、第２、第３の開閉器１２、１３をＯＮにすると共に、第１、第４、第５の開閉器１１、１４、１５をＯＦＦにする。
【００４０】
また、制御装置３８は、第１の充電状態閾値ＳＯＣth1（本実施形態では例えば８０％）と、第２の充電状態閾値ＳＯＣth2（本実施形態では例えば８０％）と、第３の充電状態閾値ＳＯＣth3（例えば１００％）と、第４の充電状態閾値ＳＯＣth4（例えば１００％）と、を記憶している。
【００４１】
ここで、例えば、第１の蓄電池１の充電状態が３０％〜１００％の範囲内にある場合、第１の蓄電池１の充電状態が第１の充電状態閾値（３０％）以下に減少してしまうことに備え、図３中に例示した特性（図３中の特性範囲Ｒf内の特性）が得られるように、第２の蓄電池２の充電状態が、１００％に保たれていることが理想的である。しかしながら、蓄電池は、自己放電などによる影響で充電状態が低下する場合がある。
【００４２】
例えば、第１の蓄電池１の充電状態が比較的高くない場合（例えば８０％以下の場合）、第１及び第２の蓄電池１、２を直列に接続して、充放電器６から充電すれば、第２の蓄電池２の充電状態が上昇し、充電状態を１００％付近に近付けることが可能である。これに対して、第１の蓄電池１の充電状態が高い場合（例えば８０％以上の場合）、第１及び第２の蓄電池１、２を直列に接続して、充放電器６から充電すると、蓄電池全体の出力電圧が上昇して、充放電器の動作可能電圧範囲を逸脱する可能性があり、第２の蓄電池２の充電状態を１００％に近付けることが困難となる。
【００４３】
このような状況において、蓄電池管理システム３０が備える第２の電路切替部３２は、図６に示すように、開閉器制御部３８ｂを介して、第３〜第５の開閉器１３〜１５をＯＮにすると共に、第１、第２の開閉器１１、１２をＯＦＦにして、使用する電路を第３の電路２３に切り替える。ここで、第３の電路２３は、充放電器６に、第１及び第２の蓄電池１、２を直列に接続すると共に第１の蓄電池１に対して第２の蓄電池２を逆接続する。これにより、第１の蓄電池１は放電し、一方、第２の蓄電池２は充電されることになるため、第２の蓄電池２の充電状態を１００％に近付けることが可能となる。
【００４４】
次に、本実施形態の蓄電池管理システム３０による蓄電池管理方法を図７に示すフローチャートに基づき説明する。制御装置３８の充電状態検出部３８ａは、充放電器６により充放電される第１及び第２の蓄電池１、２それぞれの充電状態（ＳＯＣ）を検出する。図７に示すように、検出された第２の蓄電池２の充電状態が、第１の充電状態閾値ＳＯＣth1（例えば８０％）以下に減少しおり（Ｓ１１のＹＥＳ）、さらに、第１の蓄電池１の充電状態が、第２の充電状態閾値ＳＯＣth2（例えば８０％）と第３の充電状態閾値ＳＯＣth3（例えば１００％）との間にある場合（Ｓ１２のＹＥＳ）、第２の電路切替部３２は、このタイミングで、開閉器制御部３８ｂを介して、第１、第２の開閉器１１、１２をＯＦＦにすると共に（Ｓ１３）、第４、第５の開閉器１４、１５（及び第３の開閉器１３）をＯＮにして（Ｓ１４）、使用する電路を第３の電路２３に切り替える。
【００４５】
つまり、この場合、第３の電路２３を介して、第１及び第２の蓄電池１、２が充放電器６に直列に接続されると共に第１の蓄電池１に対して第２の蓄電池２が逆接続される。これによって、第１の蓄電池１の充電状態が減少する一方で、第２の蓄電池２の充電が開始される（Ｓ１５）。この後、第２の蓄電池２の充電状態が、第４の充電状態閾値ＳＯＣth4（例えば１００％）に到達したことが充電状態検出部３８ａによって検出された場合（Ｓ１６のＹＥＳ）、制御装置３８は、例えば充放電器６の稼働を停止させる（Ｓ１７）。
【００４６】
したがって、本実施形態の蓄電池管理システム３０によれば、第２の蓄電池２の充電状態を１００％にまで到達させることが可能なので、フル充電した第２の蓄電池を第１の蓄電池１に直列に接続して活用する際に、図３に例示したように、好適な出力電圧の特性を得ることができ、第１及び第２の蓄電池１、２の利用効率を向上させることができる。
【００４７】
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これらの実施形態やその変形例は、発明の範囲や要旨に含まれると共に、特許請求の範囲に記載された発明とその均等の範囲に含まれる。
【符号の説明】
【００４８】
１，４１…第１の蓄電池、２…第２の蓄電池、６…充放電器、８，３８…制御装置、８ａ…充電状態検出部（第１の充電状態検出部）、８ｂ，３８ｂ…開閉器制御部、１０，２０，３０…蓄電池管理システム、１０ａ，３０ａ…蓄電池管理装置、１１…第１の開閉器、１２…第２の開閉器、１３…第３の開閉器、１４…第４の開閉器、１５…第５の開閉器、２１…第１の電路、２２…第２の電路、２３…第３の電路、３１…電路切替部（第１の電路切替部）、３２…第２の電路切替部、３８ａ…充電状態検出部（第２の充電状態検出部）。
【図１】
2016082749.tif 000003
【図２】
2016082749.tif 000004
【図３】
2016082749.tif 000005
【図４】
2016082749.tif 000006
【図５】
2016082749.tif 000007
【図６】
2016082749.tif 000008
【図７】
2016082749.tif 000009